(57)【要約】【課題】窓枠を使用し耐久性、耐火性、断熱性などの諸特性を満足させながら、室外側から縦枠を見えないようにしてフレームレス化を実現し、デザイン性の向上を図った縦連窓ＰＣカーテンウォールとする。【解決手段】ＰＣカーテンウォールユニット１は、コンクリート２の外面側に化粧板３が張設され、かつ前記コンクリート２の両側面に夫々縦枠７，８が固設され、前記縦枠７，８が前記コンクリート２の開口部形成面よりも開口中心側方向に延在する前記化粧板３によって隠蔽され、前記縦枠７，８の室外側に、前記化粧板３の縁部に掛かるように先端部を室外側方向に延出させた第１ガスケット１３を縦方向に沿って連続的に取り付ける。【選択図】図５
2013011149.tif 000002
【特許請求の範囲】
【請求項１】
水平方向に間隔を空けて縦方向に沿ってＰＣカーテンウォールユニットを固設し、隣接するＰＣカーテンウォールユニット間に縦方向に間隔を空けて無目を架け渡し、これら隣接するＰＣカーテンウォールユニットと無目とによって囲まれた各開口部にガラスを支持させた縦連窓ＰＣカーテンウォールにおいて、
前記ＰＣカーテンウォールユニットは、コンクリートの外面側に化粧板が張設され、かつ前記コンクリートの両側面に夫々縦枠が固設され、
前記縦枠が前記コンクリートの開口部形成面よりも開口中心側方向に延在する前記化粧板によって隠蔽され、前記縦枠の室外側に、前記化粧板の縁部に掛かるように先端部を室外側方向に延出させた第１ガスケットを縦方向に沿って連続的に取り付けたことを特徴とする縦連窓ＰＣカーテンウォール。
【請求項２】
前記縦枠は、室外側に開口中心側方向に延出する起立片を有するとともに、該起立片の先端位置は前記化粧板の先端位置とほぼ同じ見付け位置となるように形成され、
前記起立片と前記化粧板との間に所定の隙間を有するとともに、該隙間にシール材を充填して封鎖し、前記第１ガスケットが前記シール材を覆っている請求項１記載の縦連窓ＰＣカーテンウォール。
【請求項３】
前記シール材として、変形性能の高い軟質系材料を用いてある請求項２記載の縦連窓ＰＣカーテンウォール。
【請求項４】
前記無目間であって縦枠内部にガラス嵌合溝と前記第１ガスケット設置空間とを仕切るアタッチメント枠を設けるとともに、該アタッチメント枠の仕切り壁は前記無目の室外側面と同面とされることによって縦方向に沿って連続する第１ガスケット設置空間が形成され、該第１ガスケット設置空間に縦方向に沿って連続的に前記第１ガスケットを配設し、前記ガラス室外側面と前記アタッチメント枠との間に、室外側先端部を前記第１ガスケットに接触させたガラス支持用ガスケットを取り付けてある請求項１〜３いずれかに記載の縦連窓ＰＣカーテンウォール。
【請求項５】
前記第１ガスケットの室外側方向に延出させた先端部において、前記化粧板側の面にＬ字状の段部を形成し、このＬ字状段部を前記化粧板の縁部に係合させてある請求項１〜４いずれかに記載の縦連窓ＰＣカーテンウォール。
【請求項６】
前記第１ガスケット及びガラス支持用ガスケットは、ガラス面の室外側からガラスと前記起立片との間に挿入可能な構造としてある請求項４記載の縦連窓ＰＣカーテンウォール。
【発明の詳細な説明】
【技術分野】
【０００１】
本発明は、室外側から縦枠を見えないようにしてデザイン性を向上させた縦連窓ＰＣカーテンウォールに関する。
【背景技術】
【０００２】
特に中層から高層のビル等では盛んにカーテンウォール工法が採用されている。このカーテンウォール工法には、今まで種々のものが提案されているが、外壁を構成するＰＣ版（プレキャストコンクリート版）と、このＰＣ版によって支持されるガラス等のパネルからなるＰＣカーテンウォールが市場に多く提供されている。
【０００３】
前記ＰＣ版は、外面にレンガ、タイルや本石などの化粧板が一体的に張設され、外壁面のデザイン自由度が高いなどのメリットを有する他、高強度であるとともに、高い耐火性と断熱性を有し、かつ製造コストが廉価であるなどの利点を有し、近年の建物では多く採用されている。
【０００４】
前記ＰＣカーテンウォールの例としては、例えば下記特許文献１を挙げることができる。このＰＣカーテンウォールは、図１０に示されるように、ガラスを有するカーテンウォールユニット５０、５０…と、プレキャストコンクリート製のＰＣカーテンウォール５１、５１…とを備えて構成されており、前記ＰＣカーテンウォール５１，５１…を建物壁面に固定するとともに、ＰＣカーテンウォール５１、５１…によって四周が囲まれた開口部に対してカーテンウォールユニット５０、５０…を設置した構造とされる。前記カーテンウォールユニット５０は、上枠５２、下枠５３、および左右の縦枠５４，５５を四周枠組みした枠体内に障子を備えた構造となっている。
【０００５】
前述したＰＣカーテンウォールにおいては、アルミ合金又はスチール等からなる窓枠を室外側に露出させた構造が一般的となっているが、近年はデザインの多様化によって、窓枠を露出させずにフレームレス化を図ったものも好まれる傾向にある。
【０００６】
他方で、窓枠を有しないＰＣカーテンウォール構造が、下記特許文献２に開示されている。この特許文献２では、図１１に示されるように、ガラス板Ｇ（板材）の端部を嵌め込む板材嵌込溝５６とジッパー５７を嵌め込むジッパー溝５８とをゴム本体５９に形成し、該ゴム本体５９にコンクリート部６０の取付溝６１に嵌合されるアンカー６２を突設したジッパーガスケット６３が採用されている。
【先行技術文献】
【特許文献】
【０００７】
【特許文献１】特開２００９−２７０２５１号公報
【特許文献２】特開２００５−２９９１７８号公報
【発明の概要】
【発明が解決しようとする課題】
【０００８】
しかしながら、前記特許文献２に開示されたガラス支持構造の場合は、ガラス周囲に見付け幅の大きいジッパーガスケット６３が室外側から見えるためデザイン性が悪いとともに、火災時には簡単にジッパーガスケット６３が溶融しガラス自体が落下するおそれがあり耐火仕様を実現できていない。また、ジッパーガスケット６３の経年劣化による強度低下が懸念されるなどの問題があった。
【０００９】
そこで本発明の主たる課題は、窓枠を使用し耐久性、耐火性、断熱性などの諸特性を満足させながら、室外側から縦枠を見えないようにしてフレームレス化を実現し、デザイン性の向上を図った縦連窓ＰＣカーテンウォールを提供することにある。
【課題を解決するための手段】
【００１０】
前記課題を解決するために請求項１に係る本発明として、水平方向に間隔を空けて縦方向に沿ってＰＣカーテンウォールユニットを固設し、隣接するＰＣカーテンウォールユニット間に縦方向に間隔を空けて無目を架け渡し、これら隣接するＰＣカーテンウォールユニットと無目とによって囲まれた各開口部にガラスを支持させた縦連窓ＰＣカーテンウォールにおいて、
前記ＰＣカーテンウォールユニットは、コンクリートの外面側に化粧板が張設され、かつ前記コンクリートの両側面に夫々縦枠が固設され、
前記縦枠が前記コンクリートの開口部形成面よりも開口中心側方向に延在する前記化粧板によって隠蔽され、前記縦枠の室外側に、前記化粧板の縁部に掛かるように先端部を室外側方向に延出させた第１ガスケットを縦方向に沿って連続的に取り付けたことを特徴とする縦連窓ＰＣカーテンウォールが提供される。
【００１１】
上記請求項１記載の発明において、ＰＣカーテンウォールユニットは、コンクリートの外面側に化粧板が張設され、前記コンクリートの両側面に夫々縦枠が固設され、この縦枠が前記コンクリートの開口部形成面よりも開口中心側方向に延在する前記化粧板によって隠蔽された構造とするものである。従って、窓枠を使用しているため耐久性、耐火性、断熱性などの諸特性を満足することができるとともに、化粧板によって縦枠が外部から隠蔽されるため視覚的にフレームレス化を実現することができる。
【００１２】
また、前記縦枠の室外側に、前記化粧板の縁部に掛かるように先端部を室外側方向に延出させた第１ガスケットを縦方向に沿って連続的に取り付けてあるため、化粧板までの連続性が確保され、雨水等が隙間から浸入するのを防止するようになる。
【００１３】
請求項２に係る本発明として、前記縦枠は、室外側に開口中心側方向に延出する起立片を有するとともに、該起立片の先端位置は前記化粧板の先端位置とほぼ同じ見付け位置となるように形成され、
前記起立片と前記化粧板との間に所定の隙間を有するとともに、該隙間にシール材を充填して封鎖し、前記第１ガスケットが前記シール材を覆っている請求項１記載の縦連窓ＰＣカーテンウォールが提供される。
【００１４】
上記請求項２記載の発明は、請求項１に係る発明に加え、窓部の好適な納まり構造を限定したものである。具体的には、前記起立片と前記化粧板との間に所定の隙間を有するとともに、該隙間にシール材を充填して封鎖しているため、負圧、地震力、熱膨張などの影響によって窓枠から化粧板に外力が作用した際、前記シール材が緩衝材となって外力の作用をほぼ無くすか低減し、前記化粧板に割れや欠損が発生するのを防止する。更に、前記第１ガスケットが前記シール材を覆うことでシール材の経年劣化を防止することができる。
【００１５】
請求項３に係る本発明として、前記シール材として、変形性能の高い軟質系材料を用いてある請求項２記載の縦連窓ＰＣカーテンウォールが提供される。
【００１６】
上記請求項３記載の発明は、前記シール材として、変形性能の高い軟質系材料を用いることにより、負圧、地震力、熱膨張などの影響によって窓枠から化粧板に作用する外力を効果的に吸収することが可能となる。
【００１７】
請求項４に係る本発明として、前記無目間であって縦枠内部にガラス嵌合溝と前記第１ガスケット設置空間とを仕切るアタッチメント枠を設けるとともに、該アタッチメント枠の仕切り壁は前記無目の室外側面と同面とされることによって縦方向に沿って連続する第１ガスケット設置空間が形成され、該第１ガスケット設置空間に縦方向に沿って連続的に前記ガスケットを配設し、前記ガラス室外側面と前記アタッチメント枠との間に、室外側先端部を前記第１ガスケットに接触させたガラス支持用ガスケットを取り付けてある請求項１〜３いずれかに記載の縦連窓ＰＣカーテンウォールが提供される。
【００１８】
上記請求項４記載の発明は、ガスケットの好適な納まり構造を示したものであある。本縦連窓カーテンウォールでは、無目区間とガラス配設区間とでは構造が異なるため、前記無目間であって縦枠内部にガラス嵌合溝と前記第１ガスケット設置空間とを仕切るアタッチメント枠を設けるとともに、該アタッチメント枠の仕切り壁は前記無目の室外側面と同面とされることによって縦方向に沿って連続する第１ガスケット設置空間が形成されるようにする。そして、この縦方向に連続する第１ガスケット設置空間に第１ガスケットを配設し、窓部では、別途前記ガラス室外側面と前記アタッチメント枠との間に、室外側先端部を前記第１ガスケットに接触させたガラス支持用ガスケットを取り付けるようにしたものである。従って、縦方向通しのガスケットとガラスを支持するガスケットとの２種類を配設することで構造が簡略化されるとともに、ガラス面から化粧板までの連続性が確保され、雨水等が隙間から浸入するのを防止するようになる。
【００１９】
請求項５に係る本発明として、前記第１ガスケットの室外側方向に延出させた先端部において、前記化粧板側の面にＬ字状の段部を形成し、このＬ字状段部を前記化粧板の縁部に係合させてある請求項１〜４いずれかに記載の縦連窓ＰＣカーテンウォールが提供される。
【００２０】
上記請求項５記載の発明は、前記第１ガスケットの室外側方向に延出させた先端部において、前記化粧板側の面にＬ字状の段部を形成し、このＬ字状段部を前記化粧板の縁部に係合させるようにしたものである。従って、化粧板の縁部と第１ガスケットの先端部とがＬ字状の２面で接触するため、雨水等の浸入をより効果的に防止できるようになる。
【００２１】
請求項６に係る本発明として、前記第１ガスケット及びガラス支持用ガスケットは、ガラス面の室外側からガラスと前記起立片との間に挿入可能な構造としてある請求項４記載の縦連窓ＰＣカーテンウォールが提供される。
【００２２】
上記請求項６記載の発明は、前記第１ガスケット及びガラス支持用ガスケットは、ガラス面の室外側からガラスと前記起立片との間に挿入可能な構造とすることで、ガスケットが経年劣化した際、室外側から簡単に交換することが可能となる。
【発明の効果】
【００２３】
以上詳説のとおり本発明によれば、窓枠を使用し耐久性、耐火性、断熱性などの諸特性を満足させながら、室外側から縦枠を見えないようにしてフレームレス化を実現し、デザイン性の向上を図ることが可能となる。
【図面の簡単な説明】
【００２４】
【図１】本発明に係る縦連窓ＰＣカーテンウォールを用いた建物の外観図である。
【図２】図１のII−II線矢視図（横断面図）である。
【図３】図１のIII−III線矢視図（縦断面図）である。
【図４】窓部の縦断面図である。
【図５】窓部の横断面図である。
【図６】腰部の横断面図である。
【図７】図１のVII部の拡大図である。
【図８】図７のVIII−VIII線矢視図である。
【図９】第１ガスケットの他例を示す縦枠横断面図（要部）である。
【図１０】特許文献１に係るＰＣカーテンウォールの外観図である。
【図１１】特許文献２に係るジッパーガスケットの要部縦断面図である。
【発明を実施するための形態】
【００２５】
以下、本発明の実施の形態について図面を参照しながら詳述する。
【００２６】
図１〜図３に示されるように、水平方向に間隔を空けて縦方向に沿ってＰＣカーテンウォールユニット１，１…を固設し、隣接するＰＣカーテンウォールユニット１，１間に縦方向に間隔を空けて無目５…，６…を架け渡し、これら隣接するＰＣカーテンウォールユニット１，１と無目５…，６…とによって囲まれた各開口部４にガラスを支持させた縦連窓ＰＣカーテンウォールである。なお、ガラスＧの部分は、縦方向に複層ガラスとされる窓部Ｗと、単層ガラスＧの室内側に耐火ボード９が配設された腰部Ｓとが交互に並んでいる。
【００２７】
前記ＰＣカーテンウォールユニット１は、工場で製作され、建物の建設現場に搬入され、スパンドレル部（腰部）の床端部に設けられるファスナー（図示せず）によって鉛直方向に沿って列を成すように設けられる。なお、ガラスＧについては、ＰＣカーテンウォールユニット１、１…を取り付けた後、現場にて設置される。
【００２８】
以下、更に図面に基づいて詳述する。
【００２９】
前記ＰＣカーテンウォールユニット１、１…のコンクリート２の外面側には化粧板３が張設され、前記コンクリート２の左右の側面には縦枠７，８が固設されている。ＰＣカーテンウォールユニット１で使用されるコンクリート２（以下、ＰＣ版ともいう。）は、流動性の高いコンクリートを使用し、型枠の隅々まで骨材を分離させることなく充填することができるようにするのが望ましく、コンクリート２の圧縮強度(設計基準強度)は、50N/mm2程度とするのが望ましい。外面側の化粧版３としては、本石やタイルなどを使用することが可能であるが、本ＰＣカーテンウォールユニット１では、ＰＣ版２の表面に本石を張設している。本石の厚みは概ね２０〜４０mm程度である。
【００３０】
前記縦枠７は、図５に示されるように、平板部７ａの室内側に段状部７ｂを有するとともに、この段状部７ｂの室内側端から裏面側に延在し、ＰＣ版２に埋設された第１アンカーフィン７ｃと、見込み幅内の裏面中間にＰＣ版２に埋設された第２アンカーフィン７ｄとによってＰＣ版２の側面に固定されている。内面側には、室外側端部にガスケット保持を兼ねるとともに、開口中心側方向に延出する起立片７ｅと、室内側寄りの位置に係止片７ｆとを有し、前記係止片７ｆを利用して前記段状部７ｂの隅部に縦押縁１０が取り付けられるようになっている。前記アンカーフィン７ｃ、７ｄは、部材の全長に亘って設けられていても良いし、部分的であってもよい。更には断続的に設けられてもよい。
【００３１】
また、前記起立片７ｅの基端寄りには係止片７ｇを有し、これにアタッチメント枠１２が取り付けられるようになっている。このアタッチメント枠１２は、仕切り壁１２ａと、係止片１２ｂと、固定片１２ｃと、ガスケット保持部１２ｄとからなる部材であり、前記係止片１２ｂを前記起立片７ｅの係止片７ｇに係止させた状態で、固定片１２ｃにビスを打ち込むことにより固定されている。前記ガスケット保持部１２ｄが、後述するガラス支持用ガスケット１７を保持する部材である。
【００３２】
前記アタッチメント枠１２は、前記無目５，６間であって縦枠７内部にガラス嵌合溝Ｍと第１ガスケット設置空間ｑとを仕切るために設けられるものであり、前記仕切り壁１２ａは前記無目５，６の室外側面と同面とされることによって縦方向に沿って連続する第１ガスケット設置空間ｑが形成され、該第１ガスケット設置空間ｑに縦方向に沿って連続的に第１ガスケット１３が配設されるようになっている。
【００３３】
前記縦枠７は、前記コンクリート２側に固設され、コンクリート２の開口部形成面よりも開口中心側方向に延在する前記化粧板３によって隠蔽され、前記第１ガスケット１３は、前記化粧板３の縁部に掛かるように先端部を室外側方向に延出させている。
【００３４】
詳しくは、前記縦枠７は前記化粧板３を避けてコンクリート２側に固設され、前記化粧板３はコンクリート２の開口部よりも開口中心側方向に延在し、前記化粧板３の先端位置は前記縦枠７の起立片７ｅの先端位置とほぼ同じ見付け位置となっている。前記化粧板３の先端位置は、前記起立片７ｅの先端位置よりも僅かであれば手前側でもよいが、好ましくは同じ見付け位置か、前記起立片７ｅの先端位置よりも若干開口部側方向に突出して形成されているようにする。前記起立片７ｅと前記化粧板３との間には所定幅の隙間１４を有するようにし、この隙間１４にバックアップ材１５、シール材１６を充填して封鎖している。つまり、前記縦枠７を化粧板３に接触させることなく配置し、これらの間に隙間１４を形成し、この隙間１４をシール材１６によって充填することにより、負圧、地震力、熱膨張などの影響によって前記縦枠７から化粧板３側に外力が作用した際、前記シール材１６が緩衝材となって外力が作用しないようにするか低減させ、前記化粧板３に割れや欠損が発生するのを防止する。前記シール材１６としては、緩衝材としての機能を効果的に発揮するように、変形性能の高い軟質系材料を用いるのが望ましい。このようなシール材料としては、ポリサルファイド系やウレタン系が望ましい。
【００３５】
前記第１ガスケット１３は、同図５に示されるように、略断面Ｌ字状を成す部材であり、一方の辺が取付部１３ａであり、他方の辺は室外側方向に延び、前記シール材１６を覆う額縁部１３ｂとなっている。前記額縁部１３ｂの先端は前記化粧板３の縁部に掛かるようになっている。図示例では、前記額縁部１３ｂの先端部において、前記化粧板３側の面にＬ字状の段部１３ｃを形成し、このＬ字状段部１３ｃを前記化粧板３の縁部に係合させるようにしている。
【００３６】
一方、前記縦枠８は、前述した縦枠７と左右対称の構造となっている。図５に示されるように、平板部８ａの室内側に段状部８ｂを有するとともに、この段状部８ｂの室内側端から裏面側に延在し、ＰＣ版２に埋設された第１アンカーフィン８ｃと、見込み幅内の裏面中間にＰＣ版２に埋設された第２アンカーフィン８ｄとによってＰＣ版２の側面に固定されている。内面側には、室外側端部にガスケット保持を兼ねるとともに、開口中心側方向に延出する起立片８ｅと、室内側側寄りの位置に係止片８ｆを有し、この係止片８ｆを利用して前記段状部８ｂの隅部に縦押縁１１が取り付けられるようになっている。これ以外の構造は、縦枠７側と同様であるため、同符合を付して説明は省略する。
【００３７】
前記縦枠７，８は、ＰＣカーテンウォールユニット１の長手方向に沿って連続的に固定されるが、図６に示されるように、腰部Ｓでは、ガラスＧは単層ガラスとされ、室内側に耐火ボード９が取り付けられる構造であり、縦押縁１８，１９が異なるだけである。この腰部Ｓでは、単層ガラスＧとなる分、押縁本体から室外側方向にアーム片１８ａ、１９ａを伸ばし、このアーム片１８ａ、１９ａの先端に固形ビード２０を保持し、ガラスＧの裏面側を支持するようになっている。他の構造については、図５の窓部横断面図と同様であるため、同符合を付して説明は省略する。
【００３８】
前記無目５は、図４に示されるように、窓部Ｗの上側に位置し、上面側に腰部Ｓの単層ガラスＧを嵌合するガラス嵌合溝Ｍ１を有し、下面側に窓部Ｗの複層ガラスＧを嵌合する嵌合溝Ｍ２を有する部材である。前記無目５は、室内側無目５Ａと、室外側無目５Ｂとが断熱性確保のために樹脂２４，２４によって連結された部材とされる。前記室内側無目５Ａと室外側無目５Ｂとにより上面側に前記ガラス嵌合溝Ｍ１が形成され、下面側に前記ガラス嵌合溝Ｍ２が形成されている。前記室外側無目５Ｂの室外側の上下部にはガスケット保持部５ａ、５ｂが設けられているとともに、室外側面には無目カバー２５が取り付けられている。また、前記室内側無目５Ａのガラス嵌合溝Ｍ１にはビード支持部５ｃが設けられ、ガラス嵌合溝Ｍ２にはシール受け片５ｄが設けられ、背面側には耐火ボード受け２７が取り付けられている。
【００３９】
他方、前記無目６は、同図４に示されるように、窓部Ｗの下側に位置し、上面側に窓部Ｗの複層ガラスＧを嵌合する嵌合溝Ｍ２を有し、下面側に腰部Ｓの単層ガラスＧを嵌合するガラス嵌合溝Ｍ１を有する部材である。前記無目６も、室内側無目６Ａと、室外側無目６Ｂとが断熱性確保のために樹脂２４，２４によって連結された部材とされる。前記室内側無目６Ａと室外側無目６Ｂとにより上面側に前記ガラス嵌合溝Ｍ２が形成され、下面側に前記ガラス嵌合溝Ｍ１が形成されている。前記室外側無目６Ｂの室外側の上下部にはガスケット保持部６ａ、６ｂが設けられているとともに、室外側面には無目カバー２５が取り付けられている。また、前記室内側無目６Ａのガラス嵌合溝Ｍ１にはビード支持部６ｃが設けられ、ガラス嵌合溝Ｍ１にはシール受け片６ｄが設けられ、背面側には耐火ボード押え２８が取り付けられている。
【００４０】
前記無目５，６は、図７及び図８に示されるように、縦枠７，８の室内側寄りの位置に端部を縦枠７，８に呑み込ませるようにしながら配設し、縦枠７，８に固定された無目ブラケット２９、２９によって支持されている。無目５，６の端部と縦枠７，８との間の間隙は、バックアップ材３０とシール材３１とによって封鎖されている。図８を見ると分かるように、前記無目５，６の室外側面と縦枠７，８の起立片７ｅ（８ｅ）との間には前記第１ガスケット１３を設置する第１ガスケット空間ｑが形成されており、前記窓部Ｗに配置された第１ガスケット１３が無目５，６で途切れることなく、縦方向に長手通しで連続的に配置されるようになっている。
【００４１】
ガラスＧは、前述したように、窓部Ｓでは複層ガラスが嵌合支持され、腰部Ｓでは単層ガラスが嵌合支持される。
【００４２】
前記窓部Ｗでは、ガラスＧは上下部において、図４に示されるように、ガラス室内側面に、前記無目５のシール受け５ｄ、前記無目６のシール受け６ｄとの間に配置されたバックアップ材３２及びシール材３３と、ガラス室外側面に、無目５のガスケット保持部５ｂ、無目６のガスケット保持部６ａとの間に配置されたガラス支持用ガスケット３４とによって挟み付けられるように支持されている。前記ガラス保持用ガスケット３４は、略断面Ｌ字状を成す部材であり、室外方向の一辺が取付部３４ａであり、他方の辺はガラス面に圧接する圧接片３４ｂである。
【００４３】
また、ガラスＧの両側部においては、図５に示されるように、ガラス室内側面に、縦枠７，８に取り付けられた縦押縁１０，１１との間に配置されたバックアップ材３２及びシール材３３と、ガラス室外側面に、前記アタッチメント枠１２のガスケット保持部１２ｄとの間に配置されたガラス支持用ガスケット１７とによって挟み付けられるように支持されている。前記ガラス支持用ガスケット１７も、略断面Ｌ字状を成す部材であり、室外方向の一辺が取付部１７ａであり、他方の辺はガラス面に圧接する圧接片１７ｂであるが、前記取付部１７ａの室外側先端部は、前記第１ガスケット１３に対して接触するようになっており、第１ガスケット１３との連続性が確保されるようになっている。
【００４４】
一方、腰部Ｓでは、ガラスＧの上下部において、図５に示されるように、ガラス室内側面において、前記無目５のビード支持部５ｃ、前記無目６のビード支持部６ｃとの間に配置された固形ビード２０と、ガラス室外側面に、無目５のガスケット保持部５ａ、無目６のガスケット保持部６ｂとの間に配置されたガラス支持用ガスケット３４とによって挟み付けられるように支持されている。
【００４５】
また、ガラスＧの両側部において、図６に示されるように、ガラス室内側面に、前記縦押縁１８，１９との間に配置された固形ビード２０と、ガラス室外側面に、前記アタッチメント枠１２のガスケット保持部１２ｄとの間に配置されたガラス支持用ガスケット１７とによって挟み付けられるように支持されている。ここでも、前記ガラス支持用ガスケット１７の取付部１７ａの室外側先端部は、前記第１ガスケット１３に対して接触するようになっており、第１ガスケット１３との連続性が確保されるようになっている。
【００４６】
〔他の形態例〕
(1)上記形態例では、前記第１ガスケット１３は、前記アタッチメント枠１２よりも先に取り付ける必要があり、経年劣化により交換が必要になった際、ガラスＧを取り外さないと交換できない構造となっているが、ガラス面の室外側から縦枠７（８）の起立片７ｅ（８ｅ）とアタッチメント枠１２との間に挿入可能な構造とすることも可能である。具体的には図９に示されるように（縦枠７のみを図示）、縦枠７の起立片７ｅにガラス面方向に開口を向けたＬ字片７ｈを形成しておき、ガラス支持用ガスケット３５は、ガラス面側の当接片を前記Ｌ字片７ｈとガラス面との間に挿入される第１挿入部３５ａと、前記Ｌ字片７ｈに挿入される第２挿入３５ｂとから構成し、ガラス面の室外側から押入することにより設置可能とする。なお、室外側方向に延びる額縁部３５ｃについては、先端の化粧板３側の面にＬ字状の段部３５ｄを形成し、このＬ字状段部３５ｄを前記化粧板３の縁部に係合させるようにする。
【符号の説明】
【００４７】
１…ＰＣカーテンウォールユニット、２…コンクリート、３…化粧板、４…開口部、５・６…無目、５Ａ・６Ａ…室内側無目、５Ｂ・６Ｂ…室外側無目、７・８…縦枠、１０・１１・１８・１９…縦押縁、１２…アタッチメント枠、１３・３５…第１ガスケット、１７・３４…ガラス支持用ガスケット、２０…固形ビード、１５・３０・３２…バックアップ材、１６・３１・３３…シール材
【図１】
2013011149.tif 000003
【図２】
2013011149.tif 000004
【図３】
2013011149.tif 000005
【図４】
2013011149.tif 000006
【図５】
2013011149.tif 000007
【図６】
2013011149.tif 000008
【図７】
2013011149.tif 000009
【図８】
2013011149.tif 000010
【図９】
2013011149.tif 000011
【図１０】
2013011149.tif 000012
【図１１】
2013011149.tif 000013